(57)【要約】      （修正有）【課題】外脚部に衝撃を受けても破損し難いＥ型コアを提供する。【解決手段】内脚部２と、この内脚部２の両側に配置される２つの外脚部３Ｌ，３Ｒと、内脚部２の一端および各外脚部３Ｌ，３Ｒの一端を連結する脚部連結部４とを有するＥ型コア１において、外脚部３Ｌと脚部連結部４との連結面の面積を、内脚部２が配置される側である内側を除く側である外側に向かって外脚部３Ｌの他端面（上端面３ＬＴ）の面積よりも大きくする補強部８Ｌを有し、内脚部２と外脚部３Ｌとの間隔は他端側（上端面３ＬＴ）から一端側に亘って一定である。【選択図】図１
0003198309.tif 000002
【実用新案登録請求の範囲】
【請求項１】
内脚部と、この内脚部の両側に配置される２つの外脚部と、前記内脚部の一端および前記各外脚部の一端を連結する脚部連結部とを有するＥ型コアにおいて、
前記各外脚部と前記脚部連結部との連結面の面積を、前記内脚部が配置される側である内側を除く側である外側に向かって前記各外脚部の他端面の面積よりも大きくする補強部を有し、
前記内脚部と前記各外脚部との間隔は、他端側から一端側に亘って一定である、
ことを特徴とするＥ型コア。
【請求項２】
請求項１に記載のＥ型コアにおいて、
前記補強部は、前記各外脚部の前記連結面と平行な断面の面積を、前記他端側から前記一端側に向かうにしたがって、前記外側に増加させる、
ことを特徴とするＥ型コア。
【請求項３】
請求項２に記載のＥ型コアにおいて、
前記補強部は、前記連結面まで前記各外脚部の断面の面積を増加させる、
ことを特徴とするＥ型コア。
【請求項４】
請求項１から３のいずれか１項に記載のＥ型コアにおいて、
前記内脚部の他端面は、前記各外脚部の他端面の面積を合計した面積である、
ことを特徴とするＥ型コア。
【考案の詳細な説明】
【技術分野】
【０００１】
本考案は、Ｅ型コアに関するものである。
【背景技術】
【０００２】
従来、磁心として、たとえば、特許文献１，２に開示されるＥ型コアが知られている。このＥ型コアは、互いに平行に並列される３本の脚部と、これらの脚部の一端を連結する脚部連結部とを有する。
【先行技術文献】
【特許文献】
【０００３】
【特許文献１】特開平６−２４４０４４号公報
【特許文献２】特開平６−２０８９２９号公報
【考案の概要】
【考案が解決しようとする課題】
【０００４】
Ｅ型コアの３本の脚部のうち、内側に配置される内脚部は、外側に配置される２本の外脚部によりガードされるため外部から衝撃を比較的受け難い。これに対し、２本の外脚部は内脚部に比べて外部から衝撃を受け易く、破損し易い。
【０００５】
そこで、本考案は、外脚部に衝撃を受けても破損し難いＥ型コアを提供することを目的とする。
【課題を解決するための手段】
【０００６】
上述の目的を達成するため、本考案のＥ型コアは、内脚部と、この内脚部の両側に配置される２つの外脚部と、内脚部の一端および各外脚部の一端を連結する脚部連結部とを有し、各外脚部と脚部連結部との連結面の面積を、内脚部が配置される側である内側を除く側である外側に向かって各外脚部の他端面の面積よりも大きくする補強部を有し、内脚部と各外脚部との間隔は、他端側から一端側に亘って一定であることとする。
【０００７】
また、上記考案に加え、補強部は、各外脚部の連結面と平行な断面の面積を、他端側から一端側に向かうにしたがって、外側に増加させることとする。
【０００８】
また、上記考案に加え、補強部は、連結面まで各外脚部の断面の面積を増加させることとする。
【０００９】
また、上記考案に加え、内脚部の他端面は、各外脚部の他端面の面積を合計した面積であることとする。
【考案の効果】
【００１０】
本考案によれば、外脚部に衝撃を受けても破損し難いＥ型コアを提供することができる。
【図面の簡単な説明】
【００１１】
【図１】本考案の実施の形態に係るＥ型コアを斜め上方から見た斜視図である。
【図２】図１に示すＥ型コアを前方から見た正面図である。
【図３】図１，２に示すＥ型コアの構成との比較対象となるＥ型コアを示す図である。
【図４】本考案の実施の形態に係るＥ型コアの変形例を示す図である。
【図５】本考案の実施の形態に係るＥ型コアの変形例を示す図である。
【図６】図１，２に示すＥ型コアの構成との比較対象となるＥ型コアを示す図である。
【考案を実施するための形態】
【００１２】
以下、本考案に係る実施の形態について図面を参照して説明するが、本考案は、以下の形態に限定されるものではない。
【００１３】
図１は、本考案の実施の形態に係るＥ型コア１を斜め上方から見た斜視図である。図２は、Ｅ型コア１を前方から見た正面図である。図１，２を含め各図の説明において、説明の便宜上、図に示す矢示Ｘ１方向を左方、矢示Ｘ２方向を右方、矢示Ｙ１方向の前方、矢示Ｙ２方向を後方、矢示Ｚ１方向を上方、そして、矢示Ｚ２方向を下方として説明する。Ｅ型コア１に具現化される考案の構成は、上記矢示の方向に限定されて解釈されるものではない。
【００１４】
Ｅ型コア１は、内脚部２と、この内脚部２の左側に配置される外脚部３Ｌと、右側に配置される外脚部３Ｒと、脚部連結部４とを有する。内脚部２、外脚部３Ｌおよび外脚部３Ｒは、それぞれの一端となる下端において脚部連結部４を介して連結されている。外脚部３Ｌおよび外脚部３Ｒとは左右対称の同一の形状である。したがって、以下の説明では、外脚部３Ｌの構成について説明し、外脚部３Ｒについては説明を省略または簡略化する。なお、Ｅ型コア１は、フェライト粉等の磁性紛体を加圧成形した後、焼結し、そして冷却して製造される。
【００１５】
内脚部２、外脚部３Ｌ，３Ｒおよび脚部連結部４は、それぞれ断面（上下方向に直交する面）の形状を矩形とする四角柱の形状を呈している。内脚部２と外脚部３Ｌとの間の空間５Ｌと、内脚部２と外脚部３Ｒとの間の空間５Ｒとは、図２に示すようの２点鎖線で示すコイルＣを配置するための空間である。コイルＣは中央に孔部を有するボビンに巻かれたコイルであり、該孔部に内脚部２を通されている。
【００１６】
空間５Ｌの左右方向の間隔ＤＬ（図２参照）が、上下方向に亘って一定となるように、内脚部２および外脚部３Ｌの形状や配置等が設定されている。また、空間５Ｒについても空間５Ｌと同様に左右方向の間隔ＤＲが、上下方向に亘って一定となるように、内脚部２および外脚部３Ｒの形状や配置等が設定されている。
【００１７】
つまり、空間５Ｌの底部４Ｌと、外脚部３Ｌの空間５Ｌ側の側面３ＬＲとの交差部６Ｌは、直角の隅部（コーナー）となっている。また、底部４Ｌと、内脚部２の空間５Ｌ側の側面２Ｌとの交差部６Ｒも直角の隅部（コーナー）となっている。また、空間５Ｒの底部４Ｒと外脚部３Ｒの空間５Ｒ側の側面３ＲＬとの交差部７Ｒは直角の隅部（コーナー）となっている。そして、底部４Ｒと、内脚部２の空間５Ｒ側の側面２Ｒとの交差部７Ｌも直角の隅部（コーナー）となっている。
【００１８】
交差部６Ｌ，６Ｒ，７Ｒ，７Ｌは、直角の隅部となっている。そのため、コイルＣを底部４Ｌ，４Ｒ側に深く配置することができ、Ｅ型コア１の小型化を図ることができる。交差部６Ｌ，６Ｒ，７Ｒ，７Ｌに対応する部分を、仮に、図３に２点鎖線で示す隅部１００のように、空間５Ｌ，５Ｒ側に突出させた場合には、コイルＣを底部４Ｌ，４Ｒ側に落とし込める量が減り、Ｅ型コア１を大型化する（各脚部を上下方向に長くする）必要が生じてしまう。
【００１９】
外脚部３Ｌには、側面３ＬＲと反対側となる部分に、補強部８Ｌが設けられている。この補強部８Ｌは、外脚部３Ｌの他端に位置する上端面３ＬＴの側から一端側となる連結面９Ｌ（図２参照）の側に向かって、外脚部３Ｌの断面（上下方向に直交する面）の面積を左方に向かって増加させる部分である。図２において、２点鎖線３ＬＬで示す位置よりも左側の部分が補強部８Ｌとして構成されている。２点鎖線３ＬＬは、上端面３ＬＴの左端縁３ＬＥから下方に側面３ＬＲに対して平行に延ばされた仮想線である。
【００２０】
言い換えれば、補強部８Ｌは、一端側から他端側に向かって、内脚部２が配置される側と反対側（左側）に向かって、外脚部３Ｌの左右方向の幅（太さ）を増加させる部分である。この補強部８Ｌにより、連結面９Ｌの面積が、内脚部２が配置される側を除く側に向かって外脚部３Ｌの他端面である上端面３ＬＴの面積よりも大きくなる。なお、補強部８Ｌの左側面３ＬＳは、他端側から下端側に向かうにしたがって左方に傾斜する斜面となっている。
【００２１】
図１，２に示す補強部８Ｌは、上端面３ＬＴの左端縁３ＬＥから外脚部３Ｌの断面積を増加させる構成となっているが、上端面３ＬＴの左端縁３ＬＥよりもさらに下方の位置として、たとえば、上下方向の中央付近から断面積を増加させる構成としてもよい。
【００２２】
連結面９Ｌは、底部４Ｌの延長上に位置する部分である。Ｅ型コア１は、磁性紛体を圧縮成形したものであり、外脚部３Ｌと脚部連結部４とは、境目なく連続している構成となっている。そのため、連結面９Ｌは外脚部３Ｌの端部として存在する態様のものではないが、位置を特定するための説明の便宜上、連結面９Ｌの位置を外脚部３Ｌの一端として説明している。
【００２３】
補強部８Ｌは、外脚部３Ｌと共に圧縮成形された部分であり、外脚部３Ｌと一体である。補強部８Ｌは、連結面９Ｌの部分で外脚部３Ｌの断面積を最も大きくしている。したがって、外脚部３Ｌと脚部連結部４との連結面９Ｌにおける強度が向上する。つまり、Ｅ型コア１は、外脚部３Ｌに衝撃が加わっても破損し難いものとなる。
【００２４】
補強部８Ｌは、外脚部３Ｌの断面積を連結面９Ｌまで増加させ、連結面９Ｌよりも下方の部分については、連結面９Ｌの左端よりも左方に突出しない形状となっている。つまり、脚部連結部４の左端面４ＬＬは、連結面９Ｌの左端よりも左方に突出していない。
【００２５】
これに対し、図４に示すように、補強部８Ｌは、脚部連結部４の左端面４ＬＬを連結面９Ｌの左端よりも左方に突出させた構成としてもよい。しかしながら、脚部連結部４の左端面４ＬＬを連結面９Ｌの左端よりも左方に突出させた構成（図４参照）とした場合に比べて、脚部連結部４の左端面を連結面９Ｌの左端よりも左方に突出させない構成（図１，２参照）の方が、Ｅ型コア１の左右方向の大きさを小さくすることができる。
【００２６】
内脚部２の他端面である上端面２Ｔの面積は、外脚部３Ｌの他端面である上端面３ＬＴの面積と、外脚部３Ｒの他端面である上端面３ＲＴの面積との合計である。上端面２Ｔの面積が、上端面３ＬＴの面積と上端面３ＲＴの面積との合計であることにより磁束の漏れを抑えることができる。
【００２７】
また、図５に示すように、外脚部３Ｌの左側面３ＬＳに、リブ状の補強部１１Ｌを設ける構成としてもよい。補強部１１Ｌは、左側面３ＬＳの前後方向の中央に配置されている。外脚部３Ｌは補強部１１Ｌを含む部分の断面積が、他端側である上側から一端側である下側に向かうにしたがって外側となる左側に増加させられている。補強部１１Ｌをリブ状とすることで、外脚部３Ｌの左側面３ＬＳの全幅に亘って補強部８Ｌを設ける構成に比べて磁性紛体の使用量の低減を図ることができる。
【００２８】
（実施の形態に係るＥ型コア１の主な効果）
上述したようにＥ型コア１は、内脚部２と、この内脚部２の一方側に配置される外脚部３Ｌと、他方側に配置される外脚部３Ｒとを有し、内脚部２の一端と、外脚部３Ｌおよび外脚部３Ｒの一端とが脚部連結部４により連結されている。そして、Ｅ型コア１は、補強部８Ｌを有している。補強部８Ｌは、連結面９Ｌの面積を、外脚部３Ｌに対して内脚部２が配置される側である内側を除く側である外側（左方、前方、後方のいずれかの方向）のうち左方に大きくする。また、内脚部２と外脚部３Ｌとの間隔ＤＬおよび内脚部２と外脚部３Ｒとの間隔ＤＲは、それぞれ他端側（下側）から一端側（上側）に亘って一定である。
【００２９】
補強部８Ｌにより連結面９Ｌの面積が大きくなることで、外脚部３Ｌと脚部連結部４との連結面９Ｌにおける強度が向上し、Ｅ型コア１は、外脚部３Ｌに衝撃が加わっても破損し難いものとなる。加えて、空間５Ｌ，５Ｒが、上下方向に亘って一定であることにより、コイルＣを底部４Ｌ，４Ｒ側に深く配置することができ、Ｅ型コア１の小型化を図る（大型化を防ぐ）ことができる。
【００３０】
Ｅ型コア１は、フェライト粉等の磁性紛体を加圧成形した後、焼結し、そして冷却して製造される。Ｅ型コア１は、補強部８Ｌを有することで、焼結時あるいは冷却時に発生し易い外脚部３Ｌの変形が抑えられる。外脚部３Ｒについても同様である。
【００３１】
焼結時あるいは冷却時に発生し易い外脚部３Ｌ，３Ｒの変形を抑えるため、図６に示すように、内脚部２と外脚部３Ｌと外脚部３Ｒの他端を脚部連結部４と同様の連結部材２００で連結した形状で、加圧成形、焼結、冷却し、その後、連結部材２００を除去する製法も考えられる。しかしながら、かかる製法による場合は、連結部材２００を除去する工数が増えると共に連結部材２００部分の磁性紛体が無駄になり好ましくない。これに対し、上述したＥ型コア１によれば、焼結時あるいは冷却時に発生し易い外脚部３Ｌ，３Ｒの変形を抑えることができ、併せて、磁性紛体の使用量の低減を図ることができる。
【００３２】
また、図６に示すように連結部材２００を設ける構成で、加圧成形する場合、連結部材２００の存在により必然的に縦押しプレス型による成形を行うことができず、横押しプレス型による成形を余儀なくされる。一方、Ｅ型コア１の構成によれば、縦押しプレス型による成形を行うことができる。縦押しプレス型を用いる場合は、たとえば、プレス型の設置面積を横型プレス型に比べて小さくできる。
【００３３】
補強部８Ｌは、外脚部３Ｌの連結面９Ｌと平行な断面の面積を、他端側である上側から一端側である下側に向かうにしたがって外側となる左側に増加させる。つまり、補強部８Ｌは、左側面３ＬＳを一端側から下端側に向かうにしたがって左方に傾斜する斜面となるように、外脚部３Ｌの左右方向の幅（太さ）を徐々に増加させる部分である。
【００３４】
このように、外脚部３Ｌの左右方向の幅（太さ）が徐々に増加することで、焼結時あるいは冷却時に発生する外脚部３Ｌの変形が局部的に発生することを防止できる。変形が局部的に発生してしまうと変形の応力が一部に集中し易くなり、外脚部３Ｌに変形が生じ易い。しかしながら、外脚部３Ｌの左右方向の幅（太さ）を徐々に増加させることで、外脚部３Ｌの製造時における変形量を抑えることができる。
【００３５】
補強部８Ｌは、連結面９Ｌまで外脚部３Ｌの断面の面積を増加させる。つまり、連結面９Ｌよりも下方の部分は、連結面９Ｌの左端よりも左方に突出しない形状となっている。すなわち、脚部連結部４の左端面４ＬＬは、連結面９Ｌの左端よりも左方に突出していない。
【００３６】
これにより、仮に、図４に示すように、脚部連結部４の左端面４ＬＬを連結面９Ｌの左端よりも左方に突出させた構成とした場合に比べて、脚部連結部４の左端面を連結面９Ｌの左端よりも左方に突出させない構成の方が、Ｅ型コア１の左右方向の大きさを小さくすることができる。
【００３７】
内脚部２の他端面である上端面２Ｔは、外脚部３Ｌの他端面である上端面３ＬＴの面積と、外脚部３Ｒの他端面である上端面３ＲＴの面積を合計した面積である。
【００３８】
このようにＥ型コア１を構成することで、Ｅ型コア１により形成される磁気回路における磁束の漏れを抑えることができる。
【００３９】
上述したＥ型コア１は、内脚部２、外脚部３Ｌ、外脚部３Ｒおよび脚部連結部４を断面矩形の四角柱とした例が示されている。しかしながら、四角柱に限らず、円柱、楕円柱、三角柱、あるいは５角形以上の多角柱としてもよい。
【符号の説明】
【００４０】
１  …  Ｅ型コア
２  …  内脚部
３Ｌ，３Ｒ  …  外脚部
３ＬＴ，３ＲＴ  …  他端面（上端面）
４  …  脚部連結部
８Ｌ，１１Ｌ  …  補強部
９Ｌ  …  連結面
ＤＬ，ＤＲ  …  間隔
【図１】
0003198309.tif 000003
【図２】
0003198309.tif 000004
【図３】
0003198309.tif 000005
【図４】
0003198309.tif 000006
【図５】
0003198309.tif 000007
【図６】
0003198309.tif 000008